(57)【要約】      （修正有）【課題】通常のゴルフクラブのように、ゴルフバッグに収納が可能で、アプローチからパットまでを、一本のクラブで行なうことができるゴルフクラブを提供する。【解決手段】ヘッド１のトゥ１０側にアイアン部２が形成され、ヘッド１のヒール側１２にパター部３が形成されており、前記アイアン部２にはアイアンフェース２０が設けられ、前記パター部３にはパターフェース３０が設けられていることを特徴とする。【選択図】図１
0003150223.tif 000002
【実用新案登録請求の範囲】
【請求項１】
ヘッドのトゥ側にアイアン部が形成され、ヘッドのヒール側にパター部が形成されており、前記アイアン部にはアイアンフェースが設けられ、前記パター部にはパターフェースが設けられていることを特徴とするゴルフクラブ。
【請求項２】
ヘッドのアイアンフェースとパターフェースは連続して設けられており、パター部にシャフトが取り付けられていることを特徴とする請求項１記載のゴルフクラブ。
【請求項３】
アイアンフェースの傾斜を５０°〜６０°に設定したことを特徴とする請求項１又は２記載のゴルフクラブ
【請求項４】
パターフェースの領域は、シャフトからトゥに向かって０ｍｍ〜１０ｍｍ、シャフトからヒールに向かって１０ｍｍ〜２０ｍｍであることを特徴とする請求項１乃至３のいずれかに記載のゴルフクラブ。
【請求項５】
アプローチからパットまでを、打数ではなく、ポイント制で勝敗を決めるゴルフに使用することを特徴とする請求項１乃至４のいずれかに記載のゴルフクラブ。
【考案の詳細な説明】
【技術分野】
【０００１】
この考案は、ゴルフボールを打ち出す為のゴルフクラブに関するものである。
【背景技術】
【０００２】
ゴルフクラブはゴルフ競技およびそれに準ずる競技には不可欠な用具であり、ウッド、フェアウェイウッド、ユーティリティー、アイアン、ウェッジ、パターなどの種類のゴルフクラブが用いられている。
【０００３】
このようなゴルフ競技においては、グリーン近くになると、アイアンやウェッジを用いてグリーン上にゴルフボールを移動させた後（いわゆるアプローチの後）、パターを用いてグリーン上のボールをカップに入れる。
【０００４】
この時、ゴルフプレイヤーは、アプローチからパットがスムーズに進むように、アイアン又はウェッジの１〜２本、パター１本、をクラブバッグから取り出し移動することが多い。
【０００５】
このような競技内容を鑑みて、クラブヘッドをシャフトの両端に設けたゴルフクラブが開示されている。（特許文献１）
アプローチからパットが、一本のクラブで行なうことができると、一組のゴルフクラブセットに要するゴルフクラブの本数を削減することができ、且つ、経済的にも有利に製作できるゴルフクラブを得ることができる。また、ゴルフコースにおける持ち運びも容易になり、紛失しにくくなり、他のプレイヤーに迷惑をかけるおそれも軽減される。
【０００６】
しかしながら、前述の特許文献１のようなゴルフクラブは、スウィングの際に手前にあるヘッドが邪魔（プレイヤー腹部にグリップ側のヘッドが引っ掛かる）であると共に、ゴルフバッグに収納することが困難であるという問題があった。
【０００７】
また、クラブヘッドが取外し可能であったとしても、そのような作業はプレイヤーにとって煩雑なものであった。
【特許文献１】実開平０７−０１３３６７
【考案の開示】
【考案が解決しようとする課題】
【０００８】
本件考案は、上述のような課題にもとづき、通常のゴルフクラブのように、ゴルフバッグに収納が可能で、スウィング時に邪魔にならず（プレイヤー腹部にヘッドが引っ掛からない）、アプローチからパットまでを、一本のクラブで行なうことができるゴルフクラブを提供するものである。
【課題を解決するための手段】
【０００９】
（請求項１記載の考案）
請求項１記載のゴルフクラブは、ヘッドのトゥ側にアイアン部が形成され、ヘッドのヒール側にパター部が形成されており、前記アイアン部にはアイアンフェースが設けられ、前記パター部にはパターフェースが設けられていることを特徴とする。
（請求項２記載の考案）
請求項２記載のゴルフクラブは、請求項１記載のゴルフクラブにおいて、ヘッドのアイアンフェースとパターフェースは連続して設けられており、パター部にシャフトが取り付けられていることを特徴とする。
（請求項３記載の考案）
請求項３記載のゴルフクラブは、請求項１又は２記載のゴルフクラブにおいて、アイアンフェースの傾斜を５０°〜６０°に設定したことを特徴とする。
（請求項４記載の考案）
請求項４記載のゴルフクラブは、請求項１乃至３のいずれかに記載のゴルフクラブにおいて、パターフェースの領域は、シャフトからトゥに向かって０ｍｍ〜１０ｍｍ、シャフトからヒールに向かって１０ｍｍ〜２０ｍｍであることを特徴とする。
（請求項５記載の考案）
請求項５記載のゴルフクラブは、請求項１乃至４のいずれかに記載のゴルフクラブにおいて、アプローチからパットまでを、打数ではなく、ポイント制で勝敗を決めるゴルフに使用することを特徴とする。
【考案の効果】
【００１０】
このゴルフクラブは、アプローチからパットを一本のクラブで行なうことができ、従来どおりゴルフバッグに収納することができる。
【考案を実施するための最良の形態】
【００１１】
以下に、この考案のゴルフクラブの実施形態を、実施例として示す各図と共に説明する。
【実施例１】
【００１２】
図１は、このゴルフクラブのヘッド部の正面図である。
【００１３】
図２は、このゴルフクラブのヘッド部の側面図である。
（１.ゴルフクラブについて）
通常、ゴルフクラブは、スチールやカーボンなどのシャフト４の一端にプレイヤーが握るグリップ部を設け、もう一端にゴルフボールを打つ為のヘッド部（以下、ゴルフクラブヘッド１）が設けられている。
【００１４】
シャフト４は、図１に示すように、ゴルフクラブヘッド１のシャフト受部１１に挿入されている。
【００１５】
シャフト受部１１は後述のパター部３に設けるのが好ましい。
（２．ゴルフクラブヘッド１の呼称について）
プレイヤーがグリップを握りゴルフボール手前にゴルフクラブヘッド１を地面に置いた態様となると、図１及び図２に示すように、プレイヤーのつま先方向が前方を向くことから、プレイヤーから見てクラブヘッドの先端をトゥ１０、手前側の端をヒール１２と称される。また、ゴルフクラブヘッド１が地面に接触する面をソール１３、と称されるのが一般的である。
（３．ゴルフクラブヘッド１の基本構成について）
そして、この考案のゴルフクラブヘッド１には、図１及び図２に示すように、トゥ側１０にアイアン部２が設けられ、ヒール１２側にパター部３が形成されている。
【００１６】
アイアン部２は、ゴルフクラブのアイアンを模倣しており、アイアンフェース２０が設けられている。
【００１７】
パター部３は、ゴルフクラブのパターを模倣しており、パターフェース３０が設けられている。
【００１８】
アイアンフェース２０とパターフェース３０の双方を有するゴルフクラブヘッド１であることから、アプローチとパットの両方を一本のクラブで行なうことができる。
【００１９】
そして、グリップ側にゴルフクラブヘッド１が設けられていないことから、ゴルフバッグへの収納が容易なものとなる。
【００２０】
また、ゴルフの競技規則では、「一人１４本」という規定があるが、このクラブを用いると、一本二役であることから、新たなクラブを追加することもできる。
（４．ゴルフクラブヘッド１の詳細な構成について）
ゴルフクラブヘッド１の素材としては、軟鉄、ステンレス鋼、ベリリウム銅合金、チタン合金、その他合金、エンジニアリングプラスチックなどを使用することが出来る。軟鉄を用いるのが好ましい。前記軟鉄を鍛造しても良い。アイアン部２とパター部３に異なる材料を用いても良いし、同一の材料であってもよい。
【００２１】
ゴルフクラブヘッド１は、トゥ１０からヒール１２までの長さを、１２ｃｍ〜２５ｃｍとするのが好ましい。
【００２２】
アイアンフェース２０とパターフェース３０の領域の割合は、トゥ１１〜ヒール１２の長さの割合において
アイアンフェース２０：パターフェース３０  ＝  ７：４〜４：６
とするのが好ましい。
【００２３】
前述の境界５を、図１及び図２に示すように、始点終点を曲面とすることで、アイアンフェース２０とパターフェース３０が連続して設けられていることが好ましい。
（４−１．アイアンフェース２０について）
アイアンフェース２０には、ウェッジ類フェースを用いることができる。アイアンフェース２０の表面には、フェース溝が設けられている。アイアンフェース２０の傾斜（ロフト角）は、５０°〜６０°とするのが好ましい。
（４−２．パターフェース３０について）
パターフェース３０には、パターのフェースを用いることができる。パターフェース３０の表面には、平滑にするのが好ましい。パターフェースの傾斜（ロフト角）は、０°〜５°で設けることができる。前記ロフト角は０°〜１°とするのが好ましい。
【００２４】
また、図１に示すように、パターフェースのパットスポット３１と、シャフト４のシャフト中心４１の延長線が重なる態様となるようにパターフェース３０を設けるのが好ましい。
【００２５】
そして、パターフェース３０の領域は、シャフト中心４１からトゥに向かって０ｍｍ〜１０ｍｍ、シャフト中心４１からヒール１２に向かって１０ｍｍ〜２０ｍｍとするのが好ましい。
（５．このゴルフクラブの効果について）
このゴルフクラブは、アプローチからパットを一本のクラブで行なうことができ、従来どおりゴルフバッグに収納することができる。
【００２６】
また、特許文献１のように、使用者の腹部に引っ掛かることもない。
【００２７】
さらに、パター部３によって、ゴルフクラブヘッド１のソール１３が広くなったことから、芝生上をソール１３がすべり、ダフりショット（地面を掘るミスショット）が減少するという当業者が容易に想到し得ない効果が得られた。
（６．このゴルフクラブを用いた、新しい遊びについて）
また、本考案の考案者は、狭い敷地面積でプレーができるこのゴルフクラブを用いた新しい遊びを幾つか提案している。
【００２８】
図３は、このゴルフクラブのヘッド部を用いたｉｎゴルフのコース図である。
（６−１．「ｉｎゴルフ」）
考案者は、本件のゴルフクラブを用いて、屋内で遊ぶことができる遊びも提案している。
【００２９】
ｉｎゴルフは、室内にグリーンとその周囲を設け、アプローチからパットまでを、打数ではなく、ポイント制で勝敗を決めるゴルフである。
【００３０】
そして、ｉｎゴルフは、通常のゴルフを室内で行なう遊戯としたことから、図３に示すような、全幅６〜１０全長８〜３０ｍのｉｎゴルフコース６で行なわれる。
【００３１】
前記、ｉｎゴルフコース６には、スタートゾーン６０、障害物７、グリーン８、カップ８０などが設けられており、前記カップ８０にフラグを設けることもできる。ｉｎゴルフコース６内に、ショットが行いやすいフェアウェイゾーンや、ショットが行いにくいラフゾーン・バンカーゾーンや、ペナルティーゾーンを設けることもできる。
【００３２】
前述の障害物７は、大障害物７０、中障害物７１、小障害物７２とすることができる。前記障害物７の材質はプラスチック、エラストマー、金属などを使用することができる。怪我やゴルフクラブの破損を未然に防ぐ為、障害物７にはエラストマーを用いるのが好ましい。
【００３３】
グリーン８は、ゲーム性を高める為に、フェアウェイよりも１０〜１５ｃｍ高く設定するのが好ましい。
【００３４】
カップ８０の直径は、通常のゴルフカップと同様の直径１０．８ｃｍとするのが好ましい。
【００３５】
考案者は、前述の「ｉｎゴルフ」に関し、標準的なルールについて、以下のようなものを提案している。
・３ｒｏｕｎｄの合計を二人以上の複数のプレイヤーで競いあう
・第１打目で、ボールがグリーン８に乗ったらワンオンの１ポイント（以下１Ｐ）
・複数のプレイヤーにおいて、グリーン８に乗ったボールが最もカップ８０に近い者にニアピンの１Ｐ
・第１打目で、ボールがカップに入ったら、ホールインワンの５Ｐ
・第２打目で、ボールがカップに入ったら、バーディーの３Ｐ
・第３打目で、ボールがカップに入ったら、パーの２Ｐ
・第４打目で、ボールがカップに入ったら、ボギーの−１Ｐ
・第５打以上で、ボールがカップに入ったら、ダブルボギー以上として−２Ｐ
そして、このようなルールに基づき、表１に示すようなスコアカードを記載することができる。
（ゲーム名：スタンダード戦）
【００３６】
【表１】
0003150223.tif 000003
【００３７】
表１のようなスコアカードを作成しておけば、プレイヤーＡ〜Ｄは、丸をつけるだけで、楽しむことができる。
【００３８】
また、ｉｎゴルフコース６内に各センサを設け、コンピューター処理によって、表１に自動的にポイント計算がなされる態様としても良い。
【００３９】
また、以下の表２に示すように、プレイヤーＡとＢをチームαとし、プレイヤーＣとＤをチームβとすることで、ポイント合計を競うチーム戦を行なうこともできる。（ゲーム名：スタンダード・ｔｅａｍ戦）
【００４０】
【表２】
0003150223.tif 000004
【００４１】
また、表１、表２に示すような、３ｒｏｕｎｄのみではなく表３に示すように１０ラウンド行なってもよい。（ゲーム名：ポイントフィフス）
プレーラウンド数は、プレイヤーや経営者が適宜決めることができる。
【００４２】
表３記載のカタカナは、表１・表２と同義であるが、以下の通りである。
「  ホ  ：ホールインワンの５Ｐ」
「  バ  ：バーディーの３Ｐ」
「  パ  ：パーの２Ｐ」
「１オン：ワンオンの１Ｐ」
「  ボ  ：ボギーの−１Ｐ」
「  ダ  ：ダブルボギー以上の−２Ｐ」
【００４３】
【表３】
0003150223.tif 000005
【００４４】
また、表４などを用いて、前述の「ホ：ホールインワン」「バ：バーディー」「パ：パー」「１オン：ワンオン」「ボ：ボギー」のいずれかのみの回数を競うこともできる。
【００４５】
例えば、１０ラウンドを遊んだ後、「バ：バーディー」のみの回数をカウントし、その回数の多かったものが勝者となるゲームが提案できる。（ゲーム名：バーディー１０）
【００４６】
【表４】
0003150223.tif 000006
【００４７】
また、このｉｎゴルフは、打数ではなくポイント制であることから、ポイントのプラス、マイナスをカウントすることが可能である。
【００４８】
このことから、たとえば、表５などのスコアシートを用いて、「一番早く、７Ｐになった人が勝ち。カップに決めた時点で、７Ｐになったらゲーム終了」というルールも提案できる。（ゲーム名：ポイント７）
この場合、規定のラウンド（例えば３ラウンド）で決着がつかなければ、ドローである。
【００４９】
【表５】
0003150223.tif 000007
【００５０】
（６−２．「ダーツゴルフ」）
考案者は、本件のゴルフクラブを用いて、屋内で遊ぶことができる遊びも提案している。
【００５１】
ダーツゴルフは、室内にグリーンとその周囲を設け、グリーンをダーツボードのようにシングル、ダブル、トリプル、ブル、等のエリア分けし、予め点数を決めておき、アプローチショットをしたボールが、止まった位置の点数を競う競技である。
（６−３．本件考案の更なる効果について）
この考案のゴルフクラブは、一本の利用で事足りる為、前述の“ｉｎゴルフ”や“ダーツゴルフ”など遊戯として遊ぶゴルフにおいて、好適に使用できるゴルフクラブを提供することをも目的とする。
【図面の簡単な説明】
【００５２】
【図１】このゴルフクラブのヘッド部の正面図である。
【図２】このゴルフクラブのヘッド部の側面図である。
【図３】このゴルフクラブのヘッド部を用いたｉｎゴルフのコース図である。
【符号の説明】
【００５３】
１    ゴルフクラブヘッド
１０  トゥ
１１  シャフト受部
１２  ヒール
１３  ソール
２    アイアン部
２０  アイアンフェース
３    パター部
３０  パターフェース
３１  パットスポット
４    シャフト
４０  シャフト中心
５    境界
【図１】
0003150223.tif 000008
【図２】
0003150223.tif 000009
【図３】
0003150223.tif 000010
【手続補正書】
【提出日】平成21年3月2日(2009.3.2)
【手続補正１】
【補正対象書類名】実用新案登録請求の範囲
【補正対象項目名】全文
【補正方法】変更
【補正の内容】
【実用新案登録請求の範囲】
【請求項１】
ヘッドのトゥ側にアイアン部が形成され、ヘッドのヒール側にパター部が形成されており、前記アイアン部にはアイアンフェースが設けられ、前記パター部にはパターフェースが設けられていることを特徴とするゴルフクラブ。
【請求項２】
ヘッドのアイアンフェースとパターフェースは連続して設けられており、パター部にシャフトが取り付けられていることを特徴とする請求項１記載のゴルフクラブ。
【請求項３】
アイアンフェースの傾斜を５０°〜６０°に設定したことを特徴とする請求項１又は２記載のゴルフクラブ
【請求項４】
パターフェースの領域は、シャフトからトゥに向かって０ｍｍ〜１０ｍｍ、シャフトからヒールに向かって１０ｍｍ〜２０ｍｍであることを特徴とする請求項１乃至３のいずれかに記載のゴルフクラブ。